(57)【要約】      （修正有）【課題】台座部分が小さく軽量で操作しやすいテープカッターであって、卓上型としてもハンディー型としても使用できる上下分離タイプのテープカッターを提供する。【解決手段】本体部１と台座部２とが互いに着脱可能に軸着されており、本体部１は、ヘッドカバーと胴部１２を有し、台座部２は、本体部受入機構と、台座足と、を有する。テープ刃１２１はヘッドカバーの円中心軸に対して下部に配設されている。台座部２の本体部受入機構は、本体部受入溝２３と台座ロック爪２１を有し、台座ロック爪２１が台座取付け軸１２６を係止又は解放することにより、本体部１が台座部２に対して着接又は脱離する。本体部受入溝２３は、本体部１の胴部１２に対して、本体部１の胴部１２が揺動可能な程度に空間的余裕を有する構造を有し、該構造により、テープ引き出し時には本体部１がテープ引き出し方向に動き、カット後には引き出し前の位置に戻る。【選択図】図１
0003209996.tif 000002
【実用新案登録請求の範囲】
【請求項１】
本体部と台座部とが互いに着脱可能に軸着されているテープカッターにおいて、前記本体部は、
テープを収容するヘッドカバーと、
テープ刃及び台座取付け軸を具備する胴部と、
を有し、前記台座部は、
前記本体部受入機構と、
台座足と、
を有することを特徴とするテープカッター。
【請求項２】
前記本体部において、前記ヘッドカバーの円中心軸に対して、前記テープ刃が鉛直方向において下部に位置することを特徴とする請求項１記載のテープカッター。
【請求項３】
前記台座部の前記本体部受入機構は、前記本体部受入溝と台座ロック爪を有し、前記台座ロック爪が、前記本体部受入溝に挿置された前記本体部胴部の前記台座取付け軸を係止又は解放することにより、前記本体部が前記台座部に対して着接又は脱離することを特徴とする請求項１又は２記載のテープカッター。
【請求項４】
前記本体部受入溝は、前記本体部受け入れ時に前記溝に挿置された前記本体部胴部に対して、前記本体部胴部が揺動可能な程度に空間的余裕を有する構造を有し、該構造により、テープ引き出し時には本体部がテープ引き出し方向に動き、テープカット後にはテープ引き出し前の位置に戻ることを特徴とする請求項１乃至３のいずれかに記載のテープカッター。
【考案の詳細な説明】
【技術分野】
【０００１】
本考案は、テープカッターに関する。
【背景技術】
【０００２】
卓上型テープカッターとしては、台座とテープ取付部が一体となっている重量のある大きなタイプのものが市販されている。ハンディータイプとしては、テープカバーとカット部分が一体となったものが市販されている。
【考案の概要】
【考案が解決しようとする課題】
【０００３】
上記市販の卓上型テープカッターは、テープを略水平方向に引っ張る構成となっているため、使用時の安定性確保の観点から重量があり、台座部分が大きい形態となっている。このため、持ち運びに難があるうえ、設置に場所をとる。一方、軽いハンディータイプのものは、卓上で使用することができず、また、片手で操作することもできない。
【０００４】
上述の問題に鑑み、本考案においては、台座部分が小さく軽量で操作しやすいテープカッターであって、卓上型としてもハンディー型としても使用できる上下分離タイプのテープカッターを提供することを課題とする。
【課題を解決するための手段】
【０００５】
上記課題を解決するために、請求項１に記載のテープカッターは、本体部と台座部とが互いに着脱可能に軸着されており、前記本体部は、テープを収容する円形のヘッドカバーと、テープ刃及び台座取付け軸を具備する胴部と、を有し、前記台座部は、前記本体部受入機構と、台座足と、を有することを特徴とする。
【０００６】
請求項２に記載のテープカッターは、前記本体部において、前記ヘッドカバーの円中心軸に対して、前記テープ刃が鉛直方向において下部に位置することを特徴とする。
【０００７】
請求項３に記載のテープカッターは、前記台座部の前記本体部受入機構は、前記本体部受入溝と台座ロック爪を有し、前記台座ロック爪が前記台座取付け軸を係止又は解放することにより、前記本体部が前記台座部に対して着接又は脱離することを特徴とする。
【０００８】
請求項４に記載のテープカッターは、前記本体部受入溝は、該溝に挿置された前記本体部胴部に対して、前記本体部胴部が揺動可能な程度に空間的余裕を有する構造を有し、該構造により、テープ引き出し時には本体部がテープ引き出し方向に動き、テープカット後にはテープ引き出し前の位置に戻ることを特徴とする。
【考案の効果】
【０００９】
本体部を台座部から分離し、互いを着脱可能な構成としたため、卓上型としても、また、ハンディー型としても使用できるようになった。
【００１０】
テープを下方向４５度の角度に引っ張る構成をとしたことから、重く下広の形状にしなくても使用時の安定性の確保が可能になった。これにより、従来品より軽く、また、台座部分の形状を小さくすることができた。この構造により、卓上での載置面積を小さくすることができ、移動も容易になった。
【００１１】
テープ引き出し時には軸着された本体部がテープ引き出し方向に動き、テープカット後には自重によりテープ引き出し前の位置に戻る構造を有するため、てこの原理によりカットが簡単になった。
【図面の簡単な説明】
【００１２】
【図１】本実施形態のテープカッターの右側面透視図である。
【図２】本実施形態のテープカッターの正面透視図である。
【図３】本体部と台座部を分離した状態を示す正面図と右側面図である
【図４】台座部の本体部受入機構の構造と機能を示す模式図である。
【考案を実施するための形態】
【００１３】
以下、本考案に係るテープカッターの実施形態について図を用いて説明する。本実施形態のテープカッター（以下、「本テープカッター」という。）は、請求項４記載のテープカッターである。
【００１４】
本テープカッターは、図１及び２に示すように、本体部１と台座部２より成り、図３に示すように本体部１と台座部２が互いに着脱自在であることを第１の特徴とする。
【００１５】
本体部１は、テープを収容する円形のヘッドカバー１１と側面が略逆三角形の胴部１２より成り、胴部１２はテープ刃１２１及び台座取付け軸１２６を具備する。一方、台座２は、本体部受入機構を構成する本体部受入溝２３と台座ロック爪２１並びに水平方向の安定性確保のための台座足２４（図２）を具備する。
【００１６】
図４は、台座部２の本体部受入機構の構造と機能を示す。本体部１と台座部２との連結は以下のごとく達成される。すなわち、台座部２の本体部受入溝２３が本体胴部１２を受け入れたところで、台座ロック爪軸２２において軸着された台座ロック爪２１が本体部の台座取付け軸１２６を係止する。逆に、本体部１を台座部２から分離するときは、台座ロック爪２１を外し台座取付け軸１２６を開放する。本体部１と台座部２が互いに着脱自在であることにより、本テープカッターは、卓上型としても、ハンディー型としても使用できる。
【００１７】
本テープカッターの第２の特徴は、図１に示すように、ヘッドカバー１１の円中心軸に対して、テープ刃１２１が下部に位置することにある。すなわち、従来のテープカッターではテープの引き出し方向が略水平であったのに対して、本テープカッターは、引き出し方向を斜め下４５度としたことにより、重く下広の形状にせずとも使用時の安定性確保が可能となり、全体をコンパクトで軽い構造にすることができた。
【００１８】
本テープカッターの第３の特徴は、テープ引き出し時にヘッドカバー１１が重力と反対方向に動く構造としたことにより、カット時のテープの張力が増加し、カットを容易にしたことにある。すなわち、本体部受入溝２３のカーブを、挿置された本体部胴部１２のカーブに対して、本体部胴部１２が揺動可能な程度に緩く成型したことで、テープ引き出し時にテープカバー１１がテープとともに引っ張られて動き、カット後にはテープカバー１１自体の重さにより元に戻る構成となっている。
【符号の説明】
【００１９】
１      本体部
１１    ヘッドカバー
１１１  カバー回転軸
１１２  ヘッド胴部ツナギ
１２    胴部
１２１  テープ刃
１２２  テープ刃取付け部
１２３  ヘッドカバーロック軸
１２４  ロック摘み
１２５  ロック軸心棒
１２６  台座取付け軸
２      台座部
２１    台座ロック爪
２２    台座ロック爪軸
２３    本体部受入溝
２４    台座足
【図１】
0003209996.tif 000003
【図２】
0003209996.tif 000004
【図３】
0003209996.tif 000005
【図４】
0003209996.tif 000006